(57)【要約】【課題】簡易な操作と小さい力とで確実に展開状態保持手段を機能させ、緊急災害時においても迅速に頭部を保護できる折畳み式帽子を提供する。【解決手段】折畳み式帽子本体部１０Ａは、連結部１５の折曲げ傾斜部１５ｂ，１５ｃ側辺部を互いに接近させ、前側平板１２と後側平板１３とを平板状態から弾性力に抗して変形させて展開状態とし、展開状態を保持する展開状態保持手段を備える。展開状態保持手段は、折曲げ傾斜部１５ｂ，１５ｃの外側に設けられた係止部２１と、係止部２１に係脱自在の被係止部２２とを有する。繋留紐２３は一端部が係止部２１に連結され、折曲げ傾斜部１５ｂ，１５ｃを貫通して内部まで延長される。係止部２１には顎紐２４の端部が連結されて、顎紐２４を引くと係止部２１が被係止部２２に係止され、展開状態が保持される。【選択図】  図１
2010059593.tif 000002
【特許請求の範囲】
【請求項１】
平板状態で形状が安定する部材で成形された前頭被覆用の前側平板と、平板状態で形状が安定する部材で成形された後頭被覆用の後側平板と、前記前側平板の後辺部側及び前記後側平板の前辺部側をそれぞれ連結させる連結部とを備え、該一対の平板の周縁部側の一部が連結部でそれぞれ連結され、折畳んだ状態で前記一対の板材が扁平状態となり、展開した状態で頭部に被れる形状である帽子状態となる本体部を有する折畳み式帽子であって、
前記連結部における、頭部の側頭面に対面する側辺部を互いに接近させることにより、前記前側平板と前記後側平板とを平板状態から弾性力に抗して変形させることで展開状態とし、該展開状態を保持する展開状態保持手段を備え、
該展開状態保持手段は、側辺部の外側に設けられた係止部と、該係止部に係脱自在に設けられた被係止部とを有し、
一端部が前記係止部に連結されると共に、前記側辺部を貫通して内部まで延長された繋留体を備え、
前記本体部を前記頭部に固定させる顎紐の端部が前記係止部に連結されて、
前記顎紐を引くことで前記係止部が前記被係止部に係止されて、前記展開状態が保持されるように構成されたことを特徴とする折畳み式帽子。
【請求項２】
平板状態で形状が安定する部材で成形された前頭被覆用の前側平板と、平板状態で形状が安定する部材で成形された後頭被覆用の後側平板と、前記前側平板の後辺部側及び前記後側平板の前辺部側をそれぞれ連結させる連結部とを備え、該一対の平板の周縁部側の一部が連結部でそれぞれ連結され、折畳んだ状態で前記一対の板材が扁平状態となり、展開した状態で頭部に被れる形状である帽子状態となる本体部を有する折畳み式帽子であって、
前記連結部における、頭部の側頭面に対面する側辺部を互いに接近させることにより、前記前側平板と前記後側平板とを平板状態から弾性力に抗して変形させることで展開状態とし、該展開状態を保持する展開状態保持手段を備え、
前記展開状態保持手段は、前記側辺部の外側に長手方向基端部側が上下方向に回動自在に設けられたレバー部材を有し、
一端部が前記レバー部材の長手方向中間部に連結されると共に、前記側辺部を貫通して内部まで延長された繋留体を備え、
レバー部材を下方に向けて回動させることによって前記繋留体が引張られて、前記展開状態が保持されるように構成されたことを特徴とする折畳み式帽子。
【請求項３】
前記本体部を前記頭部に固定させる顎紐の端部が前記レバー部材の長手方向先端部に連結されていることを特徴とする請求項２に記載の折畳み式帽子。
【請求項４】
前記繋留体の他端部が、前記本体部の内部の頂部に固定されていることを特徴とする請求項１乃至３の何れか一つに記載の折畳み式帽子。
【請求項５】
前記繋留体の他端部は前記本体部の内部で互いに連結されていることを特徴とする請求項１乃至４の何れか一つに記載の折畳み式帽子。
【請求項６】
前記前側平板と前記後側平板とは、平板本体部と該平板本体部よりも板厚の薄いヒンジ部とを備え、前記本体部は、前記前側平板の前記ヒンジ部と前記後側平板の前記ヒンジ部とがそれぞれ折り曲げられることで変形させられて前記展開状態に形成されることを特徴とする請求項１乃至５の何れか一つに記載の折畳み式帽子。
【請求項７】
前記本体部は樹脂により一体形成されたことを特徴とする請求項１乃至６の何れか一つに記載の折畳み式帽子。
【請求項８】
前記係止部は略円環状に形成されると共に、前記被係止部は前記係止部の内部に挿入されて係止可能な略突起状に形成されていることを特徴とする請求項１、４乃至７の何れか一つに記載の折畳み式帽子。
【発明の詳細な説明】
【技術分野】
【０００１】
この発明は、平板状態で形状が安定する平板を備えた折畳み式帽子に関する。
【背景技術】
【０００２】
従来、不使用時、携帯時又は物流の際に嵩張らないようにするために折畳み式にされた帽子としては、特許文献１に記載されているものがあった。
【０００３】
特許文献１には、「一枚の薄板体（１）の中央部分に頭が入る大きさの開口部を設け、開口部の両側に開口部から少し離れた位置に湾曲した曲線状折り目（３）をつけ、該薄板体（１）を開口部の中心部を横切る中心折り目（２）で二つ折りにし、重なった端部の糊代（６）の部分を接合し、そうした後、両側の、湾曲した曲線状折り目（３）の部分をそとに張り出すように折り曲げて、二つ折りにされた中心折り目（２）を伸展することにより立体形状の構造体とし、開口部を頭に被せることにより帽子としての働きをする折り畳み式帽子」が記載されている。
【特許文献１】実開平７−４３４５０号公報
【発明の開示】
【発明が解決しようとする課題】
【０００４】
しかしながら、特許文献１に記載された発明は、一枚の薄板体の中央部分に設けられた頭が入る大きさの開口部から少し離れた位置に湾曲した曲線状折り目をつけ、この曲線状折り目を折ることにより展開状態（着用可能状態）に保形する構成にされていたために、展開状態に保形されているときにあって、曲線状折り目を非折り状態にする外力、或いはそれよりも大きい外力を受けたときには、前記曲線状折り目が、前記展開状態（着用可能状態）を維持する保形機能を失した状態を起し易いものであった。したがって、平板状態で形状が安定する弾性平板で構成される折畳み式帽子の提供には構造的に不適当であるのみならず、一枚の薄板体（１）製であるので、他のものとの接触や衝突で変形や破損を惹起し易く、危険を避けるのには向いていない。
【０００５】
一方、弾性を有する前側平板と弾性を有する後側平板とが連結部で連結された折畳み式帽子本体部を有する折畳み式帽子において、前側平板と後側平板とが弾性力により平板状態となって扁平状態になる一方、連結部の両側頭に対面する個所を互いに接近させて前側平板と後側平板とを弾性力に抗して湾曲状態として展開状態とし、展開状態を保持する展開状態保持手段を備えた構成とすることも考えられる。この構成の場合、折畳み式帽子の使用者は連結部の両側頭に対面する箇所を互いの連結部を接近させる方向に両手で押圧して展開状態保持手段を機能させ、展開状態を保持させる。しかし、この構成では連結部を両手で押圧して展開状態保持手段を機能させる際に大きな力が必要となり、迅速に使用を開始することが困難であったり、筋力の弱い子供、女性、老人等が使用しずらくなるという問題がある。また、突然の大地震等の緊急災害時には、落下物等から頭を守るためにできるだけ速く折畳み式帽子を頭部にかぶる必要がある。しかし、上記構成においては、展開状態保持手段による展開状態の保持手順が完了するまで折畳み式帽子を頭部にかぶることが困難であるという問題がある。
【０００６】
この発明は、前記実情に鑑み、簡易な操作と小さい力とで確実に展開状態保持手段を機能させることができ、緊急災害時においても迅速に落下物等から頭部を保護できる折畳み式帽子を提供することを目的とする。
【課題を解決するための手段】
【０００７】
上記目的を達成するために、請求項１に記載の発明は、平板状態で形状が安定する部材で成形された前頭被覆用の前側平板と、平板状態で形状が安定する部材で成形された後頭被覆用の後側平板と、前記前側平板の後辺部側及び前記後側平板の前辺部側をそれぞれ連結させる連結部とを備え、該一対の平板の周縁部側の一部が連結部でそれぞれ連結され、折畳んだ状態で前記一対の板材が扁平状態となり、展開した状態で頭部に被れる形状である帽子状態となる本体部を有する折畳み式帽子であって、前記連結部における、頭部の側頭面に対面する側辺部を互いに接近させることにより、前記前側平板と前記後側平板とを平板状態から弾性力に抗して変形させることで展開状態とし、該展開状態を保持する展開状態保持手段を備え、該展開状態保持手段は、側辺部の外側に設けられた係止部と、該係止部に係脱自在に設けられた被係止部とを有し、一端部が前記係止部に連結されると共に、前記側辺部を貫通して内部まで延長された繋留体を備え、前記本体部を前記頭部に固定させる顎紐の端部が前記係止部に連結されて、前記顎紐を引くことで前記係止部が前記被係止部に係止されて、前記展開状態が保持されるように構成されたことを特徴とする。
【０００８】
請求項２に記載の発明は、平板状態で形状が安定する部材で成形された前頭被覆用の前側平板と、平板状態で形状が安定する部材で成形された後頭被覆用の後側平板と、前記前側平板の後辺部側及び前記後側平板の前辺部側をそれぞれ連結させる連結部とを備え、該一対の平板の周縁部側の一部が連結部でそれぞれ連結され、折畳んだ状態で前記一対の板材が扁平状態となり、展開した状態で頭部に被れる形状である帽子状態となる本体部を有する折畳み式帽子であって、前記連結部における、頭部の側頭面に対面する側辺部を互いに接近させることにより、前記前側平板と前記後側平板とを平板状態から弾性力に抗して変形させることで展開状態とし、該展開状態を保持する展開状態保持手段を備え、前記展開状態保持手段は、前記側辺部の外側に長手方向基端部側が上下方向に回動自在に設けられたレバー部材を有し、一端部が前記レバー部材の長手方向中間部に連結されると共に、前記側辺部を貫通して内部まで延長された繋留体を備え、レバー部材を下方に向けて回動させることによって前記繋留体が引張られて、前記展開状態が保持されるように構成されたことを特徴とする。
【０００９】
請求項３に記載の発明は、請求項２に記載の構成に加え、前記本体部を前記頭部に固定させる顎紐の端部が前記レバー部材の長手方向先端部に連結されていることを特徴とする。
【００１０】
請求項４に記載の発明は、請求項１乃至３に何れか一つに記載の構成に加え、前記繋留体の他端部が、前記本体部の内部の頂部に固定されていることを特徴とする。
【００１１】
請求項５に記載の発明は、請求項１乃至４の何れか一つに記載の構成に加え、前記繋留体の他端部は前記本体部の内部で互いに連結されていることを特徴とする。
【００１２】
請求項６に記載の発明は、請求項１乃至５の何れか一つに記載の構成に加え、前記前側平板と前記後側平板とは、平板本体部と該平板本体部よりも板厚の薄いヒンジ部とを備え、前記本体部は、前記前側平板の前記ヒンジ部と前記後側平板の前記ヒンジ部とがそれぞれ折り曲げられることで変形させられて前記展開状態に形成されることを特徴とする。
【００１３】
請求項７に記載の発明は、請求項１乃至６の何れか一つに記載の構成に加え、前記本体部は樹脂により一体形成されたことを特徴とする。
【００１４】
請求項８に記載の発明は、請求項１、４乃至７の何れか一つに記載の構成に加え、前記係止部は略円環状に形成されると共に、前記被係止部は前記係止部の内部に挿入されて係止可能な略突起状に形成されていることを特徴とする。
【発明の効果】
【００１５】
請求項１に記載の発明によれば、平板状態で形状が安定する部材で成形された前頭被覆用の前側平板と、平板状態で形状が安定する部材で成形された後頭被覆用の後側平板と、前側平板の後辺部側及び後側平板の前辺部側をそれぞれ連結させる連結部とを備え、一対の平板の周縁部側の一部が連結部でそれぞれ連結され、折畳んだ状態で一対の板材が扁平状態となり、展開した状態で頭部に被れる形状である帽子状態となる本体部を有する折畳み式帽子であって、連結部における、頭部の側頭面に対面する側辺部を互いに接近させることにより、前側平板と後側平板とを平板状態から弾性力に抗して変形させることで展開状態とし、展開状態を保持する展開状態保持手段を備えたことにより、展開状態保持手段の保持機能により展開状態に保持され、保持機能が解除されたときには平板状態で形状が安定する部材の特性により自然に二つ折りの扁平な形にされる折畳み式の、危険を避けるのに向いている帽子を容易に提供できる。
【００１６】
また、請求項１に記載の発明においては、展開状態保持手段は、側辺部の外側に設けられた係止部と、係止部に係脱自在に設けられた被係止部とを有し、一端部が係止部に連結されると共に、側辺部を貫通して内部まで延長された繋留体を備え、本体部を頭部に固定させる顎紐の端部が係止部に連結されて、顎紐を引くことで係止部が被係止部に係止されて、展開状態が保持されるように構成されたことにより、使用者が頭部に本体部を被った状態で顎紐の長さを調節するための操作と同様の操作を自ら行うことで簡単に係止部を被係止部に係止させることが可能になる。また、本体部を被った状態で使用者が自ら顎紐を引き下ろせば、小さな力で前側平板及び後側平板を弾性変形させることができ、よって顎紐に連結された係止部を小さな力で被係止部に係止されることができる。これにより、簡易な操作と小さい力とで確実に展開状態保持手段を機能させることができる。
【００１７】
更に、請求項１に記載の発明によれば、本体部を頭部に被った後に係止部と被係止部とを連結させるため、使用者はまず本体部を自らの頭部にかぶり、次いで係止部を被係止部に係止させることになる。そのため、地震等の緊急災害時には、使用者は展開状態の保持を完成させる前に取り急ぎ本体部を頭部にかぶり、落下物等から頭部を保護することができる。これにより、緊急災害時においても迅速に頭部を保護することができる。
【００１８】
請求項２に記載の発明によれば、平板状態で形状が安定する部材で成形された前頭被覆用の前側平板と、平板状態で形状が安定する部材で成形された後頭被覆用の後側平板と、前側平板の後辺部側及び後側平板の前辺部側をそれぞれ連結させる連結部とを備え、一対の平板の周縁部側の一部が連結部でそれぞれ連結され、折畳んだ状態で一対の板材が扁平状態となり、展開した状態で頭部に被れる形状である帽子状態となる本体部を有する折畳み式帽子であって、連結部における、頭部の側頭面に対面する側辺部を互いに接近させることにより、前側平板と後側平板とを平板状態から弾性力に抗して変形させることで展開状態とし、展開状態を保持する展開状態保持手段を備えたことにより、展開状態保持手段の保持機能により展開状態に保持され、保持機能が解除されたときには平板状態で形状が安定する部材の特性により自然に二つ折りの扁平な形にされる折畳み式の、危険を避けるのに向いている帽子を容易に提供できる。
【００１９】
また、請求項２に記載の発明によれば、展開状態保持手段は、側辺部の外側に長手方向基端部側が上下方向に回動自在に設けられたレバー部材を有し、一端部がレバー部材の長手方向中間部に連結されると共に、側辺部を貫通して内部まで延長された繋留体を備え、レバー部材を下方に向けて回動させることによって繋留体が引張られて、展開状態が保持されるように構成されたことにより、レバー部材の先端部側を把持して引き下ろすとレバー部材は長手方向基端部を支点に回動し、てこの原理により繋留体を小さい力で引張ることができると共に本体部の展開状態を保持することができる。これにより、簡易な操作と小さい力とで確実に展開状態保持手段を機能させることができる。
【００２０】
請求項３に記載の発明によれば、本体部を頭部に固定させる顎紐の端部がレバー部材の長手方向先端部に連結されていることにより、顎紐を引きおろすことでレバー部材を下方に向けて回動させることができる。これにより、一層簡易な操作で確実に展開状態保持手段を機能させることができる。
【００２１】
請求項４に記載の発明によれば、繋留体の他端部が、本体部の内部の頂部に固定されていることにより、本体部を被ったときに繋留体が頭部に接触することのない位置に繋留体を配設することができる。これにより、本体部を被ったときの装着感を良好にすると共に、落下物の接触等による衝撃で繋留体が頭部にぶつかって使用者が負傷するような事態を防止できる。
【００２２】
請求項５に記載の発明によれば、繋留体の他端部は本体部の内部で互いに連結されていることにより、顎紐を引きおろしたときの前側平板及び後側平板の弾性変形の度合いを左右均等にすることができる。これにより、左右の係止部を同じタイミングで被係止部に係止させることができて、左右の係止部と被係止部との係止タイミングのずれによる係止の不具合を防止することができる。
【００２３】
請求項６に記載の発明によれば、前側平板と後側平板とは、平板本体部と平板本体部よりも板厚の薄いヒンジ部とを備え、本体部は、前側平板のヒンジ部と後側平板のヒンジ部とがそれぞれ折り曲げられることで変形させられて展開状態に形成されることにより、頭部の大部分を板厚が厚くて剛性の高い平板本体部に形成しつつ、弾性変形の容易なヒンジ部を折り曲げることで帽子形状を容易に形成できる。これにより、帽子形状の形成が容易でしかも落下物等の衝撃から頭部を確実に保護できる折畳み式帽子を提供することができる。
【００２４】
請求項７に記載の発明によれば、本体部は樹脂により一体形成されたことにより、ラインによる大量生産に適した本体部を提供し、折畳み式帽子の製造時における歩留まりの向上とコストダウンを図ることができる。
【００２５】
請求項８に記載の発明によれば、係止部は略円環状に形成されると共に、被係止部は係止部の内部に挿入されて係止可能な略突起状に形成されていることにより、係止部を被係止部と略同一面上に配設し、係止部を当該面方向に沿って被係止部側に移動させることで、係止部と被係止部とを簡易且つ確実に係止させることができ、また、係止部を被係止部の突出方向に沿って移動させることで簡易且つ確実に係止状態を解除できる。これにより、係止部と被係止部との係脱を簡易且つ確実にし、折畳み式帽子の平板状態と展開状態とを自在に変化させることが可能になる。
【発明を実施するための最良の形態】
【００２６】
以下、この発明の実施の形態について説明する。
【００２７】
〔発明の実施の形態１〕
図１乃至図９は、この発明の実施の形態１を示す。
【００２８】
まず、構成を簡単に説明すると、図１乃至図３に示す、この実施の形態１の折畳み式帽子１０は子供用の折り畳み式帽子であり、「本体部」としての折畳み式帽子本体部１０Ａは園児、学童等の子供が頭に被るのに適した大きさに形成されている。但し、折畳み式帽子１０は子供用のみに限定されることはなく、折畳み式帽子本体部１０Ａが平均的な大人が頭に被るのに適した大きさに形成されていてもよい。
【００２９】
図１乃至図３に示す折畳み式帽子本体部１０Ａは、ポリプロピレン等、剛性が高く、かつ折り曲げに対する強度が高い樹脂により一体成形されている。折畳み式帽子本体部１０Ａは、有色不透明、有色透明、無色透明にすることができる。有色透明、無色透明であれば、避難時に前方及び側方に視野が広がるので、有効である。
【００３０】
この折畳み式帽子本体部１０Ａは、前辺に連続して庇部１１を有する一枚板状の前頭被覆用の「平板」としての前側平板１２と、一枚の板状の後頭被覆用の「平板」としての後側平板１３とを有している。前側平板１２と後側平板１３とは、平板状体で平板状態で形状が安定するように形成されている。
【００３１】
前側平板１２は、正面視略台形に形成された「平板本体部」としての前側平板本体部１２ａｘ、正面視略三角形に形成された「平板本体部」としての左側平板本体部１２ａｙ及び右側平板本体部１２ａｚを備えている。また、前側平板本体部１２ａｘと左側平板本体部１２ａｙとの間には長手方向（図１における上下方向）に沿って帯状の「ヒンジ部」としての第一ヒンジ部１２ｂｘが、前側平板本体部１２ａｘと右側平板本体部１２ａｚとの間には長手方向に沿って略帯状の「ヒンジ部」としての第二ヒンジ部１２ｂｙをそれぞれ備えている。
【００３２】
同様に、後側平板１３は、正面視略台形に形成された「平板本体部」としての後側平板本体部１３ａｘ、正面視略三角形に形成された「平板本体部」としての左側平板本体部１３ａｙ及び右側平板本体部１３ａｚを備えている。また、後側平板本体部１３ａｘと左側平板本体部１３ａｙとの間には長手方向に沿って帯状の「ヒンジ部」としての第三ヒンジ部１３ｂｘが、後側平板本体部１３ａｘと右側平板本体部１３ａｚとの間には長手方向に沿って略帯状の「ヒンジ部」としての第四ヒンジ部１３ｂｙをそれぞれ備えている。
【００３３】
図１及び図３に示す通り、折畳み式帽子本体部１０Ａを展開した状態で頭部に被れる形状である帽子状態（以下単に「帽子状態」と称する。）としたときに、前側平板１２の各平板本体部１２ａｘ，１２ａｙ，１２ａｚのそれぞれは平板の状態で頭部の前頭部略全域と両頭側部略全域とを覆い、また後側平板１３の各平板本体部１３ａｘ，１３ａｙ，１３ａｚのそれぞれは平板の状態で頭部の後頭部略全域と両頭側部略全域とを覆い、第一〜第四ヒンジ部１２ｂｘ，１２ｂｙ，１３ｂｘ，１３ｂｙは各平板本体部１２ａｘ，１２ａｙ，１２ａｚ，１３ａｘ，１３ａｙ，１３ａｚの境界部分における帽子状態を形成する際に折り曲げなければならない最小限の箇所に配設された状態となっている。これにより、帽子状態の形成を支障なく行いつつ、頭部の略全域を剛性の高い各平板本体部１２ａｘ，１２ａｙ，１２ａｚ，１３ａｘ，１３ａｙ，１３ａｚで覆うことで落下物等の衝撃から頭部を確実に保護できる。
【００３４】
図３の（ｂ）に示す通り、前側平板１２の前側平板本体部１２ａｘ、左側平板本体部１２ａｙ、右側平板本体部１２ａｚは板厚が厚く（例えば２．５ｍｍ程度）、折り曲げによる弾性変形は生じにくくなるように形成されている。一方、第一ヒンジ部１２ｂｘ、第二ヒンジ部１２ｂｙは前記各平板本体部１２ａｘ，１２ａｙ，１２ａｚよりも板厚が薄く（例えば０．８ｍｍ程度）、折り曲げにより容易に弾性変形するように形成されている。同様に、後側平板１３の後側平板本体部１３ａｘ，左側平板本体部１３ａｙ、右側平板本体部１２ａｚは折り曲げによる弾性変形が生じにくくなるように板厚が厚く形成され、一方、第三ヒンジ部１３ｂｘ、第四ヒンジ部１３ｂｙは折り曲げにより容易に弾性変形するように前記各平板本体部１３ａｘ，１３ａｙ，１３ａｚよりも板厚が薄く形成されている。
【００３５】
図２に示す通り、前記前側平板１２の後辺１２ｃは、正面視の状態で水平状の「周縁部」としての中央縁１２ｃｘと該中央縁１２ｃｘの左右両側に連設された外側端下がりの「周縁部」としての傾斜縁１２ｃｙ，１２ｃｚとを有する張り出し形状にされている。又、同様に、図１に示す後側平板１３の前辺１３ｃは、正面視（図示せず）の状態で、水平状の「周縁部」としての中央縁１３ｃｘと、該中央縁１３ｃｘの左右両側に連設された外側端下がりの「周縁部」としての傾斜縁１３ｃｙ,１３ｃｚとを有する張り出し形状にされている。そして、前記前側平板１２の後辺１２ｃと前記後側平板１３の前辺１３ｃとは、後述する連結部１５に連結されている。なお、前記中央縁１２ｃｘ及び中央縁１３ｃｘは、水平状にされているが、緩やかなカーブ状にすることができるし、同様に、前側平板１２の前記傾斜縁１２ｃｙ，１２ｃｚ及び後側平板１３の傾斜縁１３ｃｙ,１３ｃｚを緩やかなカーブ状にすることができる。要するに、前側平板１２の後辺１２ｃ及び後側平板１３の前辺１３ｃは、その中央部分が張り出し、該中央部分に連続する両端側部分が傾斜した形状を呈するようにされていれば足りる。
【００３６】
連結部１５は、長手方向の略中央部分において幅方向（図３の（ａ）に示す左右方向）に連続する平面視略帯状に形成されている。連結部１５の両縁側部分にはそれぞれ前側止着片部１７ａ、後側止着片部１７ｂを有する。そして、連結部１５の両止着片部１７ａ，１７ｂは、前側平板１２の水平状中央縁１２ｃｘ近傍及び外側端下がりの傾斜縁１２ｃｙ，１２ｃｚ近傍と後側平板１３の水平状中央縁近傍及び外側端下がりの傾斜縁近傍に連結された状態で止着されている。したがって、連結部１５は、前方又は後方から見た場合、前側平板１２の張り出し形状後辺１２ｃ及び後側平板１３の張り出し形状前辺１３ｃに略沿った形状になる。
【００３７】
つまり、前記連結部１５には、図１及び図３に示すように、折曲げ水平部１５ａと、該折曲げ水平部１５ａの両端から連続する「側片部」としての左右の折曲げ傾斜部１５ｂ，１５ｃとが形成される。
【００３８】
なお、図示しないが、連結部１５は、折曲げ水平部１５ａに対する左右の折曲げ傾斜部１５ｂ，１５ｃの湾曲形状を容易に形成できるように、前側平板１２の各平板本体部１２ａｘ，１２ａｙ，１２ａｚや後側平板１３の各平板本体部１３ａｘ，１３ａｙ，１３ａｚよりも板厚が薄く形成されている。
【００３９】
また、図４及び図８に示すように、連結部１５の表面には、幅方向に沿って連続する複数（この実施の形態１においては４つ）の突起状部３０が外方に向けて突出形成されている。この突起状部３０は、外部からの衝撃によって変形し衝撃を吸収できる形状に形成されている。
【００４０】
一方、図３の（ｃ）及び（ｄ）に示すように、両止着片部１７ａ，１７ｂは、前側平板１２の後辺１２ｃよりもやや前側寄り、及び後側平板１３の前辺１３ｃよりもやや後側寄りにおいてそれぞれ前側平板１２及び後側平板１３に連結されている。そして、図３の（ｃ）に示す通り、折畳み式帽子本体部１０Ａを展開した状態において、止着片部１７ａ（又は１７ｂ）から前側平板１２の後辺１２ｃ（又は後側平板の前辺１３ｃ）までの高さＴ１よりもよりも突起状部３０の高さＴ２の高さの方が高くなるように形成されている。
【００４１】
図３の（ａ）に示すように、折曲げ水平部１５ａの略中央部、即ち折畳み式帽子本体部１０Ａの頂部には、幅方向に長い平面視略矩形の貫通孔部１８が貫通形成されている。この貫通孔部１８には繋留止部１９の固定片２０（後述）が挿通されて止着される。
【００４２】
また、折曲げ傾斜部１５ｂ，１５ｃの外側（正面側）には、それぞれ「展開状態保持手段」としての係止部２１と、この係止部２１に係脱自在に設けられた「展開状態保持手段」としての被係止部２２とを有している。係止されていない状態において、被係止部２２は係止部２１の略垂直下方に配設されている。この係止部２１及び被係止部２２は、係止部２１を被係止部２２に係止させることで、折畳み式帽子本体部の展開状態（後述）を保持する機能を奏するものである。係止部２１及び被係止部２２は、剛性が高く加工が容易な材料例えばポリプロピレン等の樹脂によって形成されている。
【００４３】
図９に示す通り、係止部２１は、略円環状に形成されている。そして、係止部２１の一方側には繋留紐２３（後述）の一端部が連結されており、他方側には顎紐２４（後述）の端部がそれぞれ連結されている。被係止部２２は、図５及び図６に示す、折曲げ傾斜部１５ｂ，１５ｃに貫通形成された被係止部嵌合孔部２９，２９に嵌合されて固着され、折曲げ傾斜部１５ｂ，１５ｃの正面側に突設されている。被係止部２２は、略突起状であって先端部に拡径部２５が形成されている。これにより、係止部２１の内部に挿入されて係止可能となるように形成されている。
【００４４】
一方、図７に示す通り、折畳み式帽子本体部１０Ａの内側（即ち、被った際に頭部に対向する側）には、繋留止部１９と、「繋留体」としての一対の繋留紐２３，２３と、ハンモック２６とが配設されている。
【００４５】
繋留止部１９は剛性が高く加工が容易な材料、例えばポリプロピレンのような樹脂にて形成されている。図５及び図６に示す通り、繋留止部１９は繋留本体部２７と固定片２０とを有している。
【００４６】
繋留本体部２７は一方向に長い板状に形成されると共に、長手方向両端部に紐通し孔部２８，２８が開口形成されている。固定片２０は繋留本体部２７の長手方向中央部において上側に突出形成された軸部の上側に、繋留本体部２７の幅方向に長い略矩形に形成されている。この固定片２０の形状は、折曲げ水平部１５ａの貫通孔部１８の形状と略等しい。即ち、図１に示す通り、繋留止部１９は、固定片２０を貫通孔部１８に貫通させたのちに約９０°回転させることで折曲げ水平部１５ａに固着させる。
【００４７】
繋留紐２３は、剛性が高く柔軟な樹脂繊維によって帯状に形成されている。繋留紐２３の一端部側は左右の折曲げ傾斜部１５ｂ，１５ｃの外側に配設されて、繋留紐２３の一端部は係止部２１に連結されている。一方、図４及び図８に示す通り、繋留紐２３は左右の折曲げ傾斜部１５ｂ，１５ｃにそれぞれ貫通形成された繋留紐挿通孔部１５ｄを貫通して、図６に示す通り、繋留紐２３の他端部側は折畳み式帽子本体部１０Ａの内側まで延長され、繋留紐２３の他端部は、繋留本体部２７の紐通し孔部２８に挿通されて繋留部２７に繋留されている。
【００４８】
これにより、それぞれ繋留紐２３，２３の他端部が、折畳み式帽子本体部１０Ａの内部で繋留止部１９によって互いに連結された状態となり、また、それぞれの繋留紐２３，２３は折畳み式帽子本体部１０Ａの頂部に固定される。また、図６に示す通り、係止部２１を被係止部２２に係止させたとき、それぞれの繋留紐２３，２３は折畳み式帽子本体部１０Ａの内部で緊張した状態となり、図５に示す通り、係止部２１が被係止部２２に係止されていないときにはそれぞれの繋留紐２３，２３は折畳み式帽子本体部１０ａの内部で弛んだ状態になるように形成されている。
【００４９】
また、図９に示す通り、繋留紐２３，２３の他端部側にはそれぞれ留め具４１，４１が設けられている。この留め具４１はホック、スナップボタン等、係脱可能な一対の部材により形成され、図５及び図６に示すように、この一対の部材同士が係合して繋留紐２３の他端部側が繋留部２７に繋留された状態を保持できるようになっている。また、留め具４１は繋留紐２３に極めて強い衝撃や極めて引っ張り力が加わったときに上記一対の部材同士の係合が解除されて、この衝撃や引っ張り力によって繋留紐２３や折畳み式帽子本体部１０Ａの破損を防止できるように構成されている。
【００５０】
図７に示す通り、ハンモック２６は、頭頂部を抑える頭頂抑え部３１ａと、この頭頂抑え部３１ａから複数延長された計４本の略帯状の延長片部３１ｂとを有し、この各延長片部３１ｂの先端部に設けられた取付部３１ｃが前側平板１２及び後側平板１３に取付リベット３１ｄにより回動自在に取り付けられている。
【００５１】
それら取付部３１ｃは、合成樹脂で形成されて所定の剛性を有し、他の部分が繊維により帯状に成形されて柔軟性を有している。
【００５２】
また、頭頂抑え部３１ａは、柔軟性を有する合成樹脂（ビニールレザー）から形成されている。
【００５３】
一方、ヘッドバンド３２は、頭部前側を押さえる合成樹脂製の所定の剛性を有する前側バンド部３３と、頭部後側を押さえる合成樹脂製の所定の剛性を有する後側バンド部３４とが、連結部１５に対応した位置に設けられた柔軟性を有する連結部３５を介して折り畳み可能に設けられている。
【００５４】
また、その前側バンド部３３及び後側バンド部３４がそれぞれ延長片部３１ｂの取付部３１ｃに連結リベット３６を介して回動自在に設けられている。
【００５５】
図７に示す通り、前側バンド部３３と後側バンド部３４とは、頭部の両側部を押さえる位置にそれぞれ配設されたアジャスタ４２，４２によって連結されている。このアジャスタ４２は柔軟性のある帯状の部材によって形成され、両端部には例えば面ファスナのような係止部材（図示せず）が設けられている。図７に示す通り、アジャスタ４２を前側バンド部３３と後側バンド部３４とにそれぞれ設けられた挿通孔部に挿通されると共に、アジャスタ４２の係止部材同士を係止させることで前側バンド部３３と後側バンド部３４とを連結される。更に、アジャスタ４２の係止部材同士の係止位置をアジャスタ４２の長手方向に調節することで、前側バンド部３３と後側バンド部３４とを使用者の頭部の大きさにフィットするように調節することができる。アジャスタ４２を頭部の両側部を押さえる位置にそれぞれ配設したことにより、折畳み式帽子本体部１０Ａを頭部に被った後も使用者自身が簡単にアジャスタ４２を調節してハンモック２６を頭部にフィットさせることができる。
【００５６】
更に、図９に示す通り、顎紐２４は両端部がそれぞれ係止部２１，２１に連結されている。また、顎紐２４の長手方向略中央部には、顎紐２４の締結部分の長さを調節して折畳み式帽子本体部１０Ａを頭部に固定させるためのするコードストッパ３８が設けられている。
【００５７】
なお、この実施の形態１の係止部２１、被係止部２２、繋留止部１９、ハンモック２６、顎紐２４は、折畳み式帽子本体部１０Ａに対して着脱自在に形成されている。これにより、折畳み式帽子本体部１０Ａ、係止部２１、被係止部２２、繋留止部１９、ハンモック２６、顎紐２４をそれぞれ別工程で製造することができて、製造の容易化と製造コストの低減化とを図ることができる。
【００５８】
次に、この実施の形態１の折畳み式帽子１０の作用について説明する。
【００５９】
この実施の形態１の折畳み式帽子１０は、図２及び図５に示すように前側平板１２と後側平板１３とがそれぞれ平板状態となった状態において、左の折曲げ傾斜部１５ｂの下端部と右の折曲げ傾斜部１５ｃの下端部とを互いに近づく方向に同時に押す。すると、前側平板１２の第一ヒンジ部１２ｂｘ及び第二ヒンジ部１２ｂｙ、後側平板１３の第三ヒンジ部１３ｂｘ及び第四ヒンジ部１３ｂｙがそれぞれ弾性変形する。これにより前側平板１２及び後側平板１３を弾性力に抗して変形させることで展開状態とする。このとき、折畳み式帽子本体部１０Ａは帽子状態となっている。
【００６０】
この状態で折畳み式帽子本体部１０Ａを頭部に被らせて、折畳み式帽子１０の使用者は自ら顎紐２４を把持して、この顎紐２４を下方に引き下ろす。すると、前側平板１２の第一ヒンジ部１２ｂｘ及び第二ヒンジ部１２ｂｙ、後側平板１３の第三ヒンジ部１３ｂｘ及び第四ヒンジ部１３ｂｙは更に弾性変形し、その結果一対の繋留紐２３，２３の一端部側が折畳み式帽子本体部１０Ａの内部から外側に引き出される。そして、顎紐２４の両端部に連結された係止部２１，２１の内部にそれぞれ被係止部２２，２２が挿通された状態となる。この状態で、折畳み式帽子１０の使用者が顎紐２４を離すと、第一ヒンジ部１２ｂｘ、第二ヒンジ部１２ｂｙ、第三ヒンジ部１３ｂｘ、第四ヒンジ部１３ｂｙの弾性力によって繋留紐２３，２３が繋留止部１９側に引っ張られ、繋留紐２３，２３の緊張により係止部２１が被係止部２２に係止された状態となり、折畳み式帽子本体部１０Ａの展開状態が保持される。
【００６１】
顎紐２４を下方に引っ張るときには、折畳み式帽子１０の使用者がさほど大きな力を加えていなくても第一ヒンジ部１２ｂｘ、第二ヒンジ部１２ｂｙ、第三ヒンジ部１３ｂｘ、第四ヒンジ部１３ｂｙを容易に弾性変形させることができる。即ち、折畳み式帽子１０の使用者は、大きな力を要することなく簡単な操作で係止部２１を被係止部２２に係止させて展開状態を維持させることができる。
【００６２】
折畳み式帽子本体部１０Ａの展開状態が保持された状態となったとき、前側平板本体部１２ａｘ、左側平板本体部１２ａｙ、右側平板本体部１２ａｚ、後側平板本体部１３ａｘ、左側平板本体部１３ａｙ、右側平板本体部１３ａｚは頭部の大半の部分を覆っているので、落下物等の衝撃から頭部を確実に守ることができる。
【００６３】
更に、両止着片部１７ａ，１７ｂは、前側平板１２の後辺１２ｃよりもやや前側寄り、及び後側平板１３の前辺１３ｃよりもやや後側寄りにおいてそれぞれ前側平板１２及び後側平板１３に連結されている。そのため、図３の（ｃ）に示す通り、係止部２１を被係止部２２に係止させたとき、連結部１５は前側平板１２の後辺１２ｃ及び後側平板１３の前辺１３ｃよりも内側に引っ込んだ状態となっており、板厚の薄い連結部１５に落下物等が直撃し連結部１５が破損する事態を防止できる。これにより、頭頂部付近等、連結部１５が形成されている箇所に落下物等があったときにおいても、落下物等の衝撃から頭部を確実に保護できる。
【００６４】
更にまた、連結部１５には突起状部３０が外方に向けて突出形成されており、この突起状部３０は外部からの衝撃に対して容易に変形して衝撃を吸収する。これにより、頭頂部付近等、連結部１５が形成されている箇所にの落下物等があったときにこの落下物等の衝撃から頭部を確実に保護できる。
【００６５】
なお、折畳み式帽子本体部１０Ａを帽子状態から扁平状態に変形させたいときは、折畳み式帽子１０の使用者は、折畳み式帽子本体部１０Ａを頭部に被った状態のままで、顎紐２４を下方に引っ張る。これにより、係止部２１は被係止部２２への係止状態を解除させて係止部２１と被係止部２２とを離脱させる。このときも、折畳み式帽子１０の使用者がさほど大きな力を加えていなくても第一ヒンジ部１２ｂｘ、第二ヒンジ部１２ｂｙ、第三ヒンジ部１３ｂｘ、第四ヒンジ部１３ｂｙを容易に弾性変形させることができる。これにより、折畳み式帽子１０の使用者は、大きな力を要することなく簡単な操作で係止部２１と被係止部２２との係止状態を解除させて、容易に折畳み式帽子本体部１０Ａを扁平状態とすることができる。
【００６６】
以上、この実施の形態１においては、平板状態で形状が安定する部材で成形された前頭被覆用の前側平板１２と、平板状態で形状が安定する部材で成形された後頭被覆用の後側平板１３と、前側平板１２の中央縁１２ｃｘ、傾斜縁１２ｃｙ，１２ｃｚのそれぞれ近傍、及び後側平板１３中央縁１２ｃｘ、傾斜縁１２ｃｙ，１２ｃｚのそれぞれ近傍を連結させる連結部１５とを備え、前側平板１２及び後側平板１３の周縁部側の一部が連結部１５でそれぞれ連結され、折畳んだ状態で前側平板１２及び後側平板１３が扁平状態となり、展開した状態で頭部に被れる形状である帽子状態となる折畳み式帽子本体部１０Ａを有する折畳み式帽子１０であって、連結部１５における、頭部の側頭面に対面する左右の折曲げ傾斜部１５ｂ，１５ｃを互いに接近させることにより、前側平板１２と後側平板１３とを平板状態から第一〜第四ヒンジ部１２ｂｘ，１２ｂｙ，１３ｂｘ，１３ｂｙに抗して変形させることで展開状態とし、展開状態を保持する展開状態保持手段を備えたことにより、展開状態保持手段の保持機能により展開状態に保持され、保持機能が解除されたときには平板状態で形状が安定する部材の特性により自然に二つ折りの扁平な形にされる折畳み式の、危険を避けるのに向いている帽子を容易に提供できる。
【００６７】
また、この実施の形態１においては、展開状態保持手段は、側辺部の外側に設けられた係止部２１と、係止部２１に係脱自在に設けられた被係止部２２とを有し、一端部が係止部２１に連結されると共に、左右の折曲げ傾斜部１５ｂ，１５ｃを貫通して内部まで延長された繋留紐２３を備え、折畳み式帽子本体部１０Ａを頭部に固定させる顎紐２４の端部が係止部２１に連結されて、顎紐２４を引くことで係止部２１が被係止部２２に係止されて、展開状態が保持されるように構成されたことにより、使用者が頭部に折畳み式帽子本体部１０Ａを被った状態で顎紐２４の長さを調節するための操作と同様の操作を自ら行うことで簡単に係止部２１を被係止部２２に係止させることが可能になる。また、折畳み式帽子本体部１０Ａを被った状態で使用者が自ら顎紐２４を引き下ろせば、小さな力で前側平板１２及び後側平板１３を弾性変形させることができ、よって顎紐２４に連結された係止部２１を小さな力で被係止部２２に係止されることができる。これにより、簡易な操作と小さい力とで確実に展開状態保持手段を機能させることができる。
【００６８】
更に、この実施の形態１においては、折畳み式帽子本体部１０Ａを頭部に被った後に係止部２１と被係止部２２とを連結させるため、使用者はまず折畳み式帽子本体部１０Ａを自らの頭部にかぶり、次いで係止部２１を被係止部２２に係止させることになる。そのため、地震等の緊急災害時には、使用者は展開状態の保持を完成させる前に取り急ぎ折畳み式帽子本体部１０Ａを頭部にかぶり、落下物等から頭部を保護することができる。これにより、緊急災害時においても迅速に頭部を保護することができる。
【００６９】
この実施の形態１においては、繋留紐２３の他端部が、繋留止部１９によって折畳み式帽子本体部１０Ａの内部の頂部に固定されていることにより、折畳み式帽子本体部１０Ａを被ったときに繋留紐２３が頭部に接触することのない位置に繋留紐２３を配設することができる。これにより、折畳み式帽子本体部１０Ａを被ったときの装着感を良好にすると共に、落下物の接触等による衝撃で繋留紐２３が頭部にぶつかって使用者が負傷するような事態を防止できる。
【００７０】
この実施の形態１においては、繋留紐２３，２３の他端部は折畳み式帽子本体部１０Ａの内部で互いに連結されていることにより、顎紐２４を引きおろしたときの前側平板１２及び後側平板１３の弾性変形の度合いを左右均等にすることができる。これにより、左右の係止部２１，２１を同じタイミングで被係止部２２，２２に係止させることができて、左右の係止部２１，２１と被係止部２２，２２との係止タイミングのずれによる係止の不具合を防止することができる。
【００７１】
この実施の形態１においては、前側平板１２と後側平板１３とは、前側平板本体部１２ａｘ、左側平板本体部１２ａｙ、右側平板本体部１２ａｚ、後側平板本体部１３ａｘ、左側平板本体部１３ａｙ、右側平板本体部１３ａｚと、これら平板本体部１２ａｘ，１２ａｙ，１２ａｚ，１３ａｘ，１３ａｙ，１３ａｚよりも板厚の薄い第一〜第四ヒンジ部１２ｂｘ，１２ｂｙ，１３ｂｘ，１３ｂｙとを備え、折畳み式帽子本体部１０Ａは、前側平板１２の第一、第二ヒンジ部１２ｂｘ，１２ｂｙと後側平板１３の第三、第四ヒンジ部１３ｂｘ，１３ｂｙとがそれぞれ折り曲げられることで変形させられて前記展開状態に形成されることにより、頭部の大部分を板厚が厚くて剛性の高い平板本体部１２ａｘ，１２ａｙ，１２ａｚ，１３ａｘ，１３ａｙ，１３ａｚにて形成しつつ、弾性変形の容易な第一〜第四ヒンジ部１２ｂｘ，１２ｂｙ，１３ｂｘ，１３ｂｙを折り曲げることで帽子形状を容易に形成できる。これにより、帽子形状の形成が容易でしかも落下物等の衝撃から頭部を確実に保護できる折畳み式帽子１０を提供することができる。
【００７２】
この実施の形態１においては、折畳み式帽子本体部１０Ａは樹脂により一体形成されたことにより、ラインによる大量生産に適した折畳み式帽子本体部１０Ａを提供し、折畳み式帽子１０の製造時における歩留まりの向上とコストダウンを図ることができる。
【００７３】
この実施の形態１においては、係止部２１は略円環状に形成されると共に、被係止部２２は係止部２１の内部に挿入されて係止可能な略突起状に形成されていることにより、係止部２１を被係止部２２と略同一面上に配設し、係止部２１を当該面方向に沿って被係止部２２側に移動させることで、係止部２１と被係止部２２とを簡易且つ確実に係止させることができ、また、係止部２１を被係止部２２の突出方向に沿って移動させることで簡易且つ確実に係止状態を解除できる。これにより、係止部２１と被係止部２２との係脱を簡易且つ確実にし、折畳み式帽子１０の扁平状態と展開状態とを自在に変化させることが可能になる。
【００７４】
なお、この実施の形態１においては、繋留体を帯状の繋留紐２３としたが、これに限定されず、係止部２１を折畳み式帽子本体部１０Ａの一部に繋留して前側平板１２と後側平板１３との変形状態により係止部２１と被係止部２２との係脱状態を変えられるものであればどのようなものでもよい。例えば、繋留紐２３を金属製ワイヤーのようなもので形成してもよいし、更に、紐状の細長い形状でなくてもよい。
【００７５】
この実施の形態１においては、折畳み式帽子本体部１０Ａは樹脂により一体成形されるものとしたが、これに限定されず、例えば前側平板１２、後側平板１３、連結部１５をそれぞれ別体として製造し、それらを接合して折畳み式帽子本体部１０Ａを形成してもよい。
【００７６】
この実施の形態１においては、係止部２１を顎紐２４に連結させたが、これに限定されず、例えば顎紐２４と別に設けられた係止用紐を係止部に連結し、この係止用紐を引き下ろすことで係止部２１を被係止部２２に連結されるものとしてもよい。また、紐以外の手段、例えばホックやレバー等をにより係止部２１を被係止部２２に係止させる構成としてもよい。
【００７７】
この実施の形態１においては、繋留紐２３を折畳み式帽子本体部１０Ａの内部にて繋留止部１９に固定されているものとしたが、これに限定されず、繋留紐２３が折畳み式帽子本体部１０Ａの外部において繋留止部１９に固定されていてもよい。また、一対の繋留紐２３，２３の他端部同士は、繋留止部１９を介さずに、直接連結されていてもよい。
【００７８】
この実施の形態１においては、前側平板１２と後側平板１３とは、前側平板本体部１２ａｘ、左側平板本体部１２ａｙ、右側平板本体部１２ａｚ、後側平板本体部１３ａｘ、左側平板本体部１３ａｙ、右側平板本体部１３ａｚと、これら平板本体部１２ａｘ，１２ａｙ，１２ａｚ，１３ａｘ，１３ａｙ，１３ａｚよりも板厚の薄い第一〜第四ヒンジ部１２ｂｘ，１２ｂｙ，１３ｂｘ，１３ｂｙとを備え、折畳み式帽子本体部１０Ａは、前側平板１２の第一、第二ヒンジ部１２ｂｘ，１２ｂｙと後側平板１３の第三、第四ヒンジ部１３ｂｘ，１３ｂｙとがそれぞれ折り曲げられることで変形させられて展開状態に形成されるものとしたが、これに限定されず、前側平板１２と後側平板１３の全体が折り曲げることで変形させられて展開状態が形成される構成としてもよい。このように構成することで、折畳み式帽子本体部１０Ａを全て同じ厚さで製造すればよくなって、製造をより簡易化させることができる。
〔発明の実施の形態２〕
【００７９】
図１０乃至図２０はこの発明の実施の形態２を示す。
【００８０】
この実施の形態２の折畳み式帽子５０の折畳み式帽子本体部５０Ａにおいては、実施の形態１の折畳み式帽子１０の折畳み式帽子本体部１０Ａにおける係止部２１及び被係止部２２に代えて、「展開状態保持手段」としての展開状態保持機構５１が設けられている点が実施の形態１と相違する。
【００８１】
図１０乃至図１４に示す通り、この展開状態保持機構５１は、レバー部材５２と、折曲げ傾斜部１５ｂ，１５ｃの一部に設けられた保持部材５３とを備えている。
【００８２】
レバー部材５２は、剛性が高く、かつ折り曲げに対する強度が高い材料、例えば折畳み式帽子本体部５０Ａと同じポリプロピレン等により形成されている。レバー部材５２は、長手方向先端部側から長手方向略中央部側を形成する略板状のレバー部材本体部５４と、レバー部材本体部５４よりも長手方向基端部側に突設された一対の脚部５５，５５とを有する。
【００８３】
レバー部材本体部５４の長手方向先端部側には、幅方向に細長い顎紐挿通孔５６が貫通形成されている。図１５に示す通り、この顎紐挿通孔５６には顎紐２４が挿通され、これにより、顎紐２４の端部がレバー部材５２の長手方向先端部に連結されている。
【００８４】
図１５に示す通り、それぞれの脚部５５，５５の先端部（即ちレバー部材５１の長手方向基端部）には、それぞれ略円筒形のピン５７が側方に向けて突設されている。これら一対のピン５７，５７は一対のピン挿通孔６１，６１（後述）にそれぞれ挿通されて、レバー部材５２はこれら一対のピン５７，５７を中心に上下方向に回動する。
【００８５】
また、それぞれの脚部５５，５５の基端部側（即ちレバー部材５２の長手方向略中央部側）には、繋留紐２３に繋留される連結棒５８が、それぞれの脚部５５，５５に掛け渡されて配設されている。連結棒５８とレバー部材本体部５４との間には幅方向に細長い繋留紐挿通孔５９が貫通形成されている。図１５に示す通り、連結棒５８には繋留紐挿通孔５９に挿通された繋留紐２３の一端部が連結されている。
【００８６】
保持部材５３は、板状の保持部材本体部６０，６０を一対有する。図１１に示す通り、それぞれの保持部材本体部６０，６０は、折曲げ傾斜部１５ｂ，１５ｃの長手方向両側部に沿ってそれぞれ離間対向した状態で折曲げ傾斜部１５ｂ，１５ｃの外方に向けて突設されている。それぞれの保持部材本体部６０にはレバー部材５２のピン５７を挿通するためのピン挿通孔６１が貫通形成されている。それ以外の構成は実施の形態１と同じである。
【００８７】
一方、図１０、図１１に示す通り、折畳み式帽子本体部５０Ａの左側平板本体部１２ａｙ、右側平板本体部１２ａｚ、左側平板本体部１３ａｙ、右側平板本体部１３ａｚにはそれぞれ実施の形態１の取付リベット３１ｄ，３１ｄ，３１ｄ，３１ｄに代えて取付リベット６２ａ，６２ｂ，６２ｃ，６２ｄ（但し係止手段６２ｄは図示せず）が設けられている。この取付リベット６２ａ，６２ｂ，６２ｃ，６２ｄは軸方向両端部が拡径すると共に軸方向略中央部が縮径した形状に形成されている。取付リベット６２ａ，６２ｂ，６２ｃ，６２ｄの各基端部側は折畳み式帽子本体部５０Ａの内側に配設されて、実施の形態１の取付リベット３１ｄ，３１ｄ，３１ｄ，３１ｄと同様にハンモック２６の取付部３１ｃ，３１ｃ，３１ｃ，３１ｃを取り付けられるようになっており、各先端部側は折畳み式帽子本体部５０Ａの外側に配設されて、図１５乃至図１９に示すカバー部材７０に開孔形成された係止孔部７１ａ，７１ｂ，７１ｃ，７１ｄ（但し係止孔部７１ｄは図示せず）が係止されるようになっている。
【００８８】
カバー部材７０は布地の表面にアルミニウムが蒸着された部材等、折り畳み自在であって難燃性の部材によって形成されている。図１６，図１７に示す通り、カバー部材７０は、前側被覆部材７２と、連結部被覆部材７３と、後側被覆部材７４とが縫製されて、折畳み式帽子本体部５０Ａの外側を覆うことのできる形状に形成されている。前側被覆部材７２は折畳み式帽子本体部５０Ａの前側平板１２に略等しい形状に形成され、連結部被覆部材７３は折畳み式帽子本体部５０Ａの連結部１５の形状に略等しい形状に形成されている。図１７に示す通り、後側被覆部材７４は、上側は折畳み式帽子本体部５０Ａの後側平板１３に略等しい形状に形成され、下側は前側被覆部材７２よりも両側方向及び下方に伸長された形状に形成されている。
【００８９】
なお、図１０乃至図１９には図示しないが、折畳み式帽子本体部５０Ａの表面側において、取付リベット６２ａ及び６２ｂ、又は、取付リベット６２ｃ及び６２ｄには、バンド７５ａ，７５ｂが係止されている。このバンド７５ａ，７５ｂはいずれも柔軟性のある樹脂にて形成され、両端部には取付リベット６２，６２，６２ｃ，６２ｄのうち何れか一つに係止可能な係止孔部がそれぞれ一つ設けられている。
【００９０】
上述の構成以外の構成は、実施の形態１と同じである。
【００９１】
次に、この実施の形態２の折畳み式帽子５０の作用について説明する。
【００９２】
この実施の形態２の折畳み式帽子５０は、図１１に示すように前側平板１２と後側平板１３とがそれぞれ平板状態となった状態において、左右のレバー部材５２，５２のレバー部材本体部５４，５４を上方から下方に向けて押し下げる。すると、レバー部材５２，５２はピン５７，５７を軸に下方に向けて回動し、レバー部材５２，５２の動作に伴って繋留紐２３，２３が折畳み式帽子本体部５０Ａの外側に向けて引っ張られる。ここで、使用者がレバー部材５２，５２を押し下げる際には、レバー部材５２，５２の長手方向基端部側に回動時の支点となるピン５７，５７が存在し、かつ、長手方向略中央部に作用点となる繋留紐２３，２３が連結された連結棒５８，５８が存在し、更に長手方向先端部側に力点となる使用者の把持部分が存在する。そのため、てこの原理により、繋留紐２３，２３の張力が強くても、使用者は小さい力でレバー部材５２，５２を回動させ繋留体２３，２３を引張ることができる。
【００９３】
一方、レバー部材５２，５２が押し下げられると、繋留紐２３，２３の張力によってレバー部材５２，５２が左右の折曲げ傾斜部１５ｂ，１５ｃを内側に押圧して、この押圧力により前側平板１２の第一ヒンジ部１２ｂｘ及び第二ヒンジ部１２ｂｙ、後側平板１３の第三ヒンジ部１３ｂｘ及び第四ヒンジ部１３ｂｙがそれぞれ弾性変形する。これにより前側平板１２及び後側平板１３を弾性力に抗して変形させることで折畳み式帽子本体部１０Ａが展開した状態で頭に被れる形状である帽子状態となる。
【００９４】
そして、レバー部材５２を押し下げることで、図１３に示す、繋留紐挿通孔部１５ｄの下端部とピン５７の外周部外側を結ぶ仮想線Ｌ１よりも外側位置Ｐ１から同仮想線Ｌ１の内側位置Ｐ２に、レバー部材の連結棒５８の軸心部が移行すると、連結棒５８における繋留紐２３の張力Ｆ１は、傾斜縁１２ｃｙ（及び傾斜縁１２ｃｚ）の面に垂直方向の分力Ｆ２を発生させる。この分力Ｆ２がレバー部材５２を一層内側位置Ｐ２方向に回転させる力として作用するため、レバー部材５２，５２は、レバー部材本体部５４，５４が傾斜縁１２ｃｙ，１２ｃｚに接触する状態に押し下げられて固定される。これにより、折畳み式帽子本体部５０Ａの展開状態が保持される。
【００９５】
なお、使用者は、レバー部材本体部５４を把持して押し下げる代わりに、顎紐２４を把持して下方に引き下ろすことでレバー部材５２を下方に向けて回動させ、折畳み式帽子本体部５０Ａを帽子状態にして展開状態を保持させることもできる。
【００９６】
そして、図１７及び図１８に示すように、折畳み式帽子本体部５０Ａの表面にカバー部材７０を被せ、係止孔部７１ａ，７１ｂ，７１ｃ，７１ｄを係止部材６２ａ，６２ｂ，６２ｃ，６２ｄに係止すると、折畳み式帽子本体部５０Ａの表面にカバー部材７０が装着される。この状態で、折畳み式帽子本体部５０Ａの表面略全域がカバー部材７０で覆われた状態となる。この折畳み式帽子本体部５０Ａを使用者が頭部に被ると、折畳み式帽子本体部５０Ａによって落下物等の衝撃から頭部を確実に守ることができると共に、カバー部材７０によって熱や炎から使用者の頭部を守ることができる。更に、使用者が折畳み式帽子本体部５０Ａを頭部に被ったとき、カバー部材７０の後側被覆部材７４は使用者の首周りから肩にかけて覆うことになるため、熱や炎から使用者の首周りから肩にかけて守ることができる。
【００９７】
一方、展開状態の折畳み式帽子５０の使用が終了し、折畳み式帽子本体部５０Ａを帽子状態から扁平状態にしたい場合には、使用者は折畳み式帽子本体部５０Ａを頭部から離脱させ、レバー部材５２，５２のレバー部材本体部５４，５４を上方に引きあげる。そして、レバー部材５２の連結棒５８の軸心部が仮想線Ｌよりも内側位置Ｐ２から外側位置Ｐ１に移行して、折畳み式帽子本体部５０Ａの形状が図１３に示す状態から図１２に示す状態に移行すると、分力Ｆ２によりレバー部材５２が押し下げられて固定された状態が解除され、そして繋留紐２３，２３の緊張が緩み、レバー部材５２，５２が左右の折曲げ傾斜部１５ｂ，１５ｃを内側に押圧する押圧力が弱まる。これにより前側平板１２、後側平板１３は平板状態になって、折畳み式帽子本体部５０Ａは扁平状態となる。
【００９８】
そして、扁平状態となった折畳み式帽子本体部５０Ａにカバー部材７０が装着されている場合には、後側被覆部材７４を折畳み、図１９に示すように、カバー部材７０の表面側から取付リベット６２ａ，６２ｂ，６２ｃ，６２ｄに一対のバンド７５ａ，７５ｂを装着し、後側被覆部材７４を折り畳んだ状態でバンド７５ａ，７５ｂで束ねる。これにより、折畳み式帽子本体部５０Ａにカバー部材７０を装着した状態のままで、コンパクトに保管・収容することが可能になる。
【００９９】
以上、この実施の形態２によれば、折畳み式帽子本体部５０Ａの展開状態保持機構５１は、側辺部の外側に長手方向基端部側が上下方向に回動自在に設けられたレバー部材５２を有し、一端部がレバー部材５２の長手方向中間部に連結されると共に、側辺部を貫通して内部まで延長された繋留体２３を備え、レバー部材５２を下方に向けて回動させることによって繋留体２３が引張られて、展開状態が保持されるように構成されたことにより、レバー部材５２の先端部側を把持して引き下ろすとレバー部材５２は長手方向基端部のピン５７を支点に回動し、てこの原理により繋留体２３を小さい力で引張ることができると共に折畳み式帽子本体部５０Ａの展開状態を保持することができる。これにより、簡易な操作と小さい力とで確実に展開状態保持機構５１を機能させることができる。
【０１００】
この実施の形態２によれば、折畳み式帽子本体部５０Ａを頭部に固定させる顎紐２４の端部がレバー部材５２の長手方向先端部側に連結されていることにより、顎紐２４を引きおろすことでレバー部材を下方に向けて回動させることができる。これにより、一層簡易な操作で確実に展開状態保持機構５１を機能させることができる。
【０１０１】
なお、上記各実施の形態においては、実施の形態２の折畳み式帽子本体部５０Ａのみにカバー部材７０を装着できる構成としたが、実施の形態１の折畳み式帽子本体部１０Ａにカバー部材７０を装着できる構成としてもよい。
【０１０２】
上記各実施の形態は本発明の例示であり、本発明が上記各実施の形態のみに限定されることを意味するものではないことは、いうまでもない。
【図面の簡単な説明】
【０１０３】
【図１】この実施の形態１の折畳み式帽子を、展開状態における正面側斜め上方から見た斜視図である。
【図２】同実施の形態１の折畳み式帽子の扁平状態における正面側斜視図である。
【図３】同実施の形態１の折畳み式帽子の展開状態における、（ａ）平面図、（ｂ）展開状態におけるＣ−Ｃ線断面図、（ｃ）展開状態におけるＤ−Ｄ線断面図、（ｄ）扁平状態におけるＤ−Ｄ線断面図である。
【図４】同実施の形態１の折畳み式帽子の展開状態における、Ａ−Ａ線断面図である。
【図５】同実施の形態１の折畳み式帽子の、扁平状態においてハンモックを取り外した状態のＢ−Ｂ線断面図である。
【図６】同実施の形態１の折畳み式帽子の、展開状態においてハンモックを取り外した状態のＢ−Ｂ線平面図である。
【図７】同実施の形態１の折畳み式帽子の展開状態の底面図である。
【図８】同実施の形態１の折畳み式帽子の展開状態の左側面図である。
【図９】同実施の形態１の折畳み式帽子の締結紐、係止部、顎紐及びコードストッパの正面図である。
【図１０】この実施の形態２の折畳み式帽子を、展開状態における正面側斜め上方から見た斜視図である。
【図１１】同実施の形態２の折畳み式帽子の扁平状態における正面側斜視図である。
【図１２】同実施の形態２の折畳み式帽子の、扁平状態においてハンモックを取り外した状態のＥ−Ｅ線断面図である。
【図１３】同実施の形態２の折畳み式帽子の、展開状態においてハンモックを取り外した状態のＥ−Ｅ線平面図である。
【図１４】同実施の形態２の折畳み式帽子の展開状態の左側面図である。
【図１５】同実施の形態２の折畳み式帽子の締結紐、レバー部材、顎紐及びコードストッパの正面図である。
【図１６】同実施の形態２のカバー部材の斜視図である。
【図１７】同実施の形態２のカバー部材の（ａ）正面図、（ｂ）左側面図である。
【図１８】同実施の形態２の折畳み式帽子において、展開状態の折畳み式帽子本体部にカバー部材を装着する前の状態を示す斜視図である。
【図１９】同実施の形態２の折畳み式帽子において、展開状態の折畳み式帽子本体部にカバー部材を装着した状態を示す斜視図である。
【図２０】同実施の形態２の折畳み式帽子において、折畳み式帽子本体部にカバー部材を装着した状態で、折畳み式帽子本体部を扁平状態にし、カバー部材の後側被覆部材を束ねた状態を示す斜視図である。
【符号の説明】
【０１０４】
１０，５０・・・折畳み式帽子
１０Ａ，５０Ａ・・・折畳み式帽子本体部
１２・・・前側平板（平板）
１２ａｘ・・・前側平板本体部（平板本体部）
１２ａｙ・・・左側平板本体部（平板本体部）
１２ａｚ・・・右側平板本体部（平板本体部）
１２ｂｘ・・・第一ヒンジ部（ヒンジ部）
１２ｂｙ・・・第二ヒンジ部（ヒンジ部）
１２ｃｘ・・・中央縁（周縁部）
１２ｃｙ，１２ｃｚ・・・傾斜縁（周縁部）
１３・・・後側平板（平板）
１３ａｘ・・・前側平板本体部（平板本体部）
１３ａｙ・・・左側平板本体部（平板本体部）
１３ａｚ・・・右側平板本体部（平板本体部）
１３ｂｘ・・・第三ヒンジ部（ヒンジ部）
１３ｂｙ・・・第四ヒンジ部（ヒンジ部）
１３ｃｘ・・・中央縁（周縁部）
１３ｃｙ，１３ｃｚ・・・傾斜縁（周縁部）
１５・・・連結部
１５ｂ，１５ｃ・・・折曲げ傾斜部
２１・・・係止部（展開状態保持手段）
２２・・・被係止部（展開状態保持手段）
２３・・・繋留紐（繋留体）
２４・・・顎紐
５１・・・展開状態保持機構（展開状態保持手段）
５２・・・レバー部材
【図１】
2010059593.tif 000003
【図２】
2010059593.tif 000004
【図３】
2010059593.tif 000005
【図４】
2010059593.tif 000006
【図５】
2010059593.tif 000007
【図６】
2010059593.tif 000008
【図７】
2010059593.tif 000009
【図８】
2010059593.tif 000010
【図９】
2010059593.tif 000011
【図１０】
2010059593.tif 000012
【図１１】
2010059593.tif 000013
【図１２】
2010059593.tif 000014
【図１３】
2010059593.tif 000015
【図１４】
2010059593.tif 000016
【図１５】
2010059593.tif 000017
【図１６】
2010059593.tif 000018
【図１７】
2010059593.tif 000019
【図１８】
2010059593.tif 000020
【図１９】
2010059593.tif 000021
【図２０】
2010059593.tif 000022